(57)【特許請求の範囲】
【請求項１】
保持具に取り付けることにより使用される清掃シートであって、
所定の第１方向と、当該第１方向と交差する方向である第２方向とに亘り延在するとともに、
基部と、
繊維要素と、
前記基部と前記繊維要素とを接続する接続要素と、
前記繊維要素を切断する切断要素と、
前記切断要素により切断された繊維要素により形成される起毛要素と、を有し、
前記繊維要素は、前記第２方向に延在する複数の繊維体により構成され、
前記接続要素は、前記第１方向に延在するとともに前記第２方向に所定の間隔を空けて形成された複数の接続部により構成され、
前記切断要素は、前記第１方向に延在するよう所定の間隔を空けて形成された複数の切断部により構成され、
前記起毛要素は、前記切断部に切断された前記繊維体によって形成される複数の起毛部により構成されるとともに、前記第１方向において隣接する前記起毛部が連続することにより形成される第１方向起毛部列領域を構成し、
前記清掃シートはさらに、前記第１方向上の端部を含むとともに前記第２方向に延在する端部領域と、前記第２方向に延在する中央領域とを有し、
前記第１方向起毛部列領域において、前記端部領域の前記起毛部は、前記中央領域の前記起毛部と比して前記繊維体の数が多く形成された多数繊維起毛部を構成することを特徴とする清掃シート。
【請求項２】
請求項１に記載された清掃シートであって、
前記中央領域における前記起毛部は、前記端部領域における前記起毛部と比して前記繊維体の数が少なく形成された少数繊維起毛部を構成することを特徴とする清掃シート。
【請求項３】
請求項１または２に記載された清掃シートであって、
前記端部領域における前記切断部は、前記中央領域における前記切断部と比して前記第１方向の長さが長く形成された長距離切断部を構成することを特徴とする清掃シート。
【請求項４】
請求項１〜３のいずれか１項に記載された清掃シートであって、
前記中央領域における前記切断部は、前記端部領域における前記切断部と比して前記第１方向の長さが短く形成された短距離切断部を構成することを特徴とする清掃シート。
【請求項５】
請求項１〜４のいずれか１項に記載された清掃シートであって、
前記起毛部は、前記接続部に接続される接続端部と、開放端部とを有するとともに、
前記開放端部が前記基部から離間することにより構成されることを特徴とする清掃シート。
【請求項６】
請求項１〜５のいずれか１項に記載された清掃シートであって、
前記起毛要素が形成される起毛要素形成領域と、起毛要素非形成領域とを有することを特徴とする清掃シート。
【請求項７】
請求項６に記載された清掃シートであって、
前記起毛要素形成領域は、前記第２方向に延在する複数の前記起毛部により形成される第２方向起毛部列領域を有し、
前記起毛要素非形成領域は、前記第２方向に延在する第２方向非起毛部列領域を有することを特徴とする清掃シート。
【請求項８】
請求項７に記載された清掃シートであって、
複数の前記第２方向非起毛部列領域は、前記第１方向の長さが同一であるよう構成されることを特徴とする清掃シート。
【請求項９】
請求項１〜８のいずれか１項に記載された清掃シートであって、
前記起毛部と前記基部との間に形成される空間によりポケット要素が構成されることを特徴とする清掃シート。
【請求項１０】
請求項９に記載された清掃シートであって、
前記ポケット要素は、複数のポケット部により構成されることを特徴とする清掃シート。
【請求項１１】
請求項１０に記載された清掃シートであって、
前記端部領域における前記ポケット部は、前記中央領域における前記ポケット部と比して前記第１方向の長さが長く形成された長距離ポケット部を構成することを特徴とする清掃シート。
【請求項１２】
請求項１〜１１のいずれか１項に記載された清掃シートであって、
前記中央領域における前記ポケット部は、前記端部領域における前記ポケット部と比して前記第１方向の長さが短く形成された短距離ポケット部を構成することを特徴とする清掃シート。
【請求項１３】
請求項１〜１２のいずれか１項に記載された清掃シートであって、
前記繊維要素は、トウ繊維により構成されることを特徴とする清掃シート。
【請求項１４】
請求項１〜１３のいずれか１項に記載された清掃シートであって、
前記接続要素は、前記基部と前記繊維要素とが熱溶着することにより構成されることを特徴とする清掃シート。
【請求項１５】
請求項１〜１４のいずれか１項に記載された清掃シートであって、
前記繊維要素は、前記基部の両面に配置されることを特徴とする清掃シート。
【請求項１６】
保持具と、前記保持具に装着される清掃シートとにより構成される清掃用具であって、
前記保持具は、
前記清掃シートが当接されるヘッド部と、
前記ヘッド部に設けられるとともに前記清掃シートを保持する保持部と、
使用者に把持される把持部と、を有し、
前記清掃シートは、
所定の第１方向と、当該第１方向と交差する方向である第２方向とに亘り延在するとともに、
基部と、
繊維要素と、
前記基部と前記繊維要素とを接続する接続要素と、
前記繊維要素を切断する切断要素と、
前記切断要素により切断された繊維要素により形成される起毛要素と、を有し、
前記繊維要素は、前記第２方向に延在する複数の繊維体により構成され、
前記接続要素は、前記第１方向に延在するとともに前記第２方向に所定の間隔を空けて形成された複数の接続部により構成され、
前記切断要素は、前記第１方向に延在するよう所定の間隔を空けて形成された複数の切断部により構成され、
前記起毛要素は、前記切断部に切断された前記繊維体によって形成される複数の起毛部により構成されるとともに、前記第１方向において隣接する前記起毛部が連続することにより形成される第１方向起毛部列領域を構成し、
前記清掃シートはさらに、前記第１方向上の端部を含むとともに前記第２方向に延在する端部領域と、前記第２方向に延在する中央領域とを有し、
前記第１方向起毛部列領域において、前記端部領域の前記起毛部は、前記中央領域の前記起毛部と比して前記繊維体の数が多く形成された多数繊維起毛部を構成することを特徴とする清掃用具。
【発明の詳細な説明】
【技術分野】
【０００１】
本発明は、清掃対象を清掃するための清掃シートおよび清掃用具に関する。
【背景技術】
【０００２】
特開２０００−２４５６７０号公報には、保持具に保持されるとともに、主に床を清掃するための清掃シートが開示されている。当該清掃シートは、複数の繊維を起毛させて構成された刷毛部により塵芥を捕捉するよう構成されていた。当該刷毛部は、一対の接合線の間に亘って配置される繊維体を切断することにより、複数個構成されていた。さらに、複数個の当該刷毛部は、異なる繊維延在長さを有するよう構成されていた。
【０００３】
上述した清掃シートにおいては、異なる繊維延在長さを有する刷毛部を構成することにより、塵芥を良好に捕捉することが可能であった。一方，この種の清掃シートにおいては、塵芥の捕捉効率をさらに向上させる工夫が要望されていた。
【先行技術文献】
【特許文献】
【０００４】
【特許文献１】特開２０００−２４５６７０号公報
【発明の概要】
【発明が解決しようとする課題】
【０００５】
本発明は、このような点に鑑みて創案されたものであり、清掃シートおよび清掃用具に関する一層合理的な構築技術を提供することを目的とする。
【課題を解決するための手段】
【０００６】
上記課題を解決するため、本発明に係る清掃シートの好ましい形態によれば、保持具に取り付けることにより使用される清掃シートであって、所定の第１方向と、当該第１方向と交差する方向である第２方向とに亘り延在するとともに、基部と、繊維要素と、基部と繊維要素とを接続する接続要素と、繊維要素を切断する切断要素と、切断要素により切断された繊維要素により形成される起毛要素とを有する。所定の第１方向は、使用者が清掃時に保持具を介して移動させる方向により規定される。この場合、清掃具が清掃シートを回転可能に保持する構成を有する場合は、使用者の操作によって清掃シートを移動させる方向が一定しないことがある。このような状況においては、使用者が清掃シートを操作する個々の方向を第１方向と規定することが可能となる。また、例えば清掃シートが長手方向と、当該長手方向と交差する方向である交差方向に延在する場合は、より広範囲の清掃対象に対し清掃作業を行う必要性から、使用者が清掃シートを交差方向に移動させることを想定して設計を行う場合がある。この場合は、当該交差方向が第１方向を規定することが可能となる。この意味において、所定の第１方向は、使用者が清掃作業を行うと想定して設計した方向により規定することができる。
なお、基部は好適にはシート状部材により構成することができる。
【０００７】
繊維要素は、第２方向に延在する複数の繊維体により構成される。より具体的には、繊維要素は、第２方向に繊維配向性を有するトウ繊維により構成することができる。
接続要素は、第１方向に延在するとともに第２方向に所定の間隔を空けて形成された複数の接続部により構成される。より具体的には、接続要素は、基部と繊維要素の双方を熱溶着性繊維により構成した場合には、両者を熱溶着することにより接続部を構成することができる。また、基部と繊維要素とを接着剤により接着することにより接続部を構成することもできる。
切断要素は、第１方向に延在するよう所定の間隔を空けて形成された複数の切断部により構成される。この場合、清掃シートにおいて、切断要素が形成される領域は切断要素形成領域を構成し、切断要素が形成されない領域は切断要素非形成領域を構成するということができる。この場合、切断要素非形成領域は非切断繊維要素を構成するということができる。非切断繊維要素は、複数の非切断繊維部により構成されるとともに、第２方向に延在する複数の非切断繊維部により第２方向非切断繊維部列領域を構成する。
起毛要素は、切断部により切断された繊維体によって形成される複数の起毛部により構成される。すなわち起毛部は、切断された繊維体の端部が接続部から離間することにより構成される。さらに起毛要素は、第１方向において隣接する切断部が連続することにより形成される第１方向起毛部列領域を構成する。典型的には、第１方向起毛部列領域は接続部を共通とする起毛領域により構成される。また、第１方向起毛部列領域は第１方向において隣接する起毛部と非切断繊維部とが交互に連続する領域により規定することもできる。
【０００８】
清掃シートはさらに、第１方向上の端部を含むとともに第２方向に延在する端部領域と、第２方向に延在する中央領域とを有する。清掃シートを取り付ける清掃ヘッドを有する保持具に清掃シートを装着する場合、清掃シートにおける第１方向上の端部は、清掃ヘッドの清掃面に対して折り返され、清掃ヘッドの清掃面と反対側の面に位置される場合がある。このような場合、端部領域は、清掃シートにおける第１方向上の端部から、少なくとも清掃シートにおける第１方向上の端部に最も近接した起毛部を含む範囲により規定される。また、中央領域は、第２方向に延在するとともに清掃シートの中心点を通過する範囲により規定される。
【０００９】
第１方向起毛部列領域において、端部領域における起毛部は、中央領域における起毛部と比して繊維体の数が多く形成された多数繊維起毛部を構成する。なお、多数繊維起毛部は、中央領域の起毛部と比して第２方向の延在長が長く構成される。よって、多数繊維起毛部は中央領域の起毛部と比して第２方向長距離起毛部を構成するということができる。
清掃対象が床である場合、当該床に存在する塵芥として、髪の毛や糸くずなどのような比較的長い延在長を有するものや、綿ホコリ、パン粉のような比較的大きな体積を有するものや、珪砂のような比較的小さい体積を有するものが存在する。
清掃作業においては、端部領域における起毛部が最初に塵芥と接触する。この場合、当該端部領域の起毛部は多数繊維起毛部を構成しているため、上述した比較的長い延在長を有する塵芥や、比較的大きな体積を有する塵芥を捕捉することができる。この場合、当該多数繊維起毛部に捕捉されなかった塵芥は、中央領域に形成された起毛部により捕捉される。
上述した通り、本発明に係る清掃シートによれば、清掃シートの清掃面に対し効率的に塵芥を捕捉させることが可能となる。
【００１０】
本発明に係る清掃シートのさらなる形態によれば、中央領域における起毛部は、端部領域における起毛部と比して繊維体の数が少なく形成された少数繊維起毛部を構成することができる。なお、少数繊維起毛部は、中央領域の起毛部と比して第２方向の延在長が短く構成される。よって、少数繊維起毛部は第２方向短距離起毛部を構成するということができる。
本発明に係る形態の清掃シートによれば、多数繊維起毛部により捕捉さなかった塵芥を、少数繊維起毛部により捕捉することが可能となる。
【００１１】
本発明に係る清掃シートのさらなる形態によれば、端部領域における切断部は、中央領域における切断部と比して第１方向の長さが長く形成された長距離切断部を構成することができる。
本発明に係る形態の清掃シートによれば、長距離切断部が繊維体を切断することにより、多数繊維起毛部を形成することが可能となる。
【００１２】
本発明に係る清掃シートのさらなる形態によれば、中央領域における切断部は、端部領域における切断部と比して第１方向の長さが短く形成された短距離切断部を構成することができる。
本発明に係る形態の清掃シートによれば、短距離切断部が繊維体を切断することにより、少数繊維起毛部を形成することが可能となる。
【００１３】
本発明に係る清掃シートのさらなる形態によれば、起毛部は、接続部に接続される接続端部と、開放端部とを有するとともに、開放端部が基部から離間することにより構成することができる。
本発明に係る形態の清掃シートによれば、使用者が清掃シートを清掃対象に当接させた状態で清掃シートを移動させた場合、開放端部が当該移動方向とは逆方向に向くよう起毛部の繊維体が移動する。当該起毛部の挙動により、清掃対象を効率的に清掃することが可能となる。
【００１４】
本発明に係る清掃シートのさらなる形態によれば、起毛要素が形成される起毛要素形成領域と、起毛領域非形成領域とを有することができる。なお、起毛領域非形成領域は、上述した非切断繊維部により構成されるということができる。
本発明に係る形態の清掃シートによれば、起毛領域非形成領域を清掃対象に当接させることにより、起毛領域非形成領域においても塵芥を捕捉することが可能である。
【００１５】
本発明に係る清掃シートのさらなる形態によれば、起毛要素形成領域は、第２方向に延在する複数の起毛部により形成される第２方向起毛部列領域を有することができる。また、起毛要素非形成領域は、第２方向に延在する第２方向非起毛部列領域を有することができる。この第２方向非起毛部列領域は、上述した第２方向非切断繊維部列領域により構成されるということができる。
第１方向において、第２方向起毛部列領域と第２方向非起毛部列領域とを交互に配置することが可能である。この場合、多数繊維起毛部により構成される第２方向起毛部列領域は、少数繊維起毛部により構成される第２方向起毛部列領域よりも第１方向における長さが長く構成される。
【００１６】
本発明に係る清掃シートのさらなる形態によれば、複数の第２方向非起毛部列領域は、第１方向の長さが同一であるよう構成することができる。この場合、第１方向の長さが同一であるとは、清掃シートの設計において「同一」であれば足りるものである。また、「完全に同一」ではなく、「実質的に同一」であれば足りるものである。
本発明に係る形態の清掃シートによれば、清掃シートの中央領域においては、単位面積あたりの第２方向非起毛部列領域の配置割合が端部領域よりも多くなる。上述した通り、清掃作業時においては起毛部の繊維体が接続端部を支点として移動する。この際、起毛部の繊維体が第２方向非起毛部列領域と清掃対象との間に入り込む場合がある。当該状況にあっては、清掃シートの中央領域における第２方向非起毛部列領域と清掃対象との間には、端部領域と比してより多くの繊維体が入り込む。よって、使用者が清掃作業を行っている場合において、中央領域は、当該中央領域の厚み方向の長さが端部領域の厚み方向の長さよりも長く構成された長距離厚み領域を形成することができる。一方、端部領域は、当該端部領域の厚み方向の長さが中央領域の厚み方向の長さよりも短く構成された短距離厚み領域を形成することができる。当該構成によって、端部領域から中央領域への塵芥の移動を容易化することができるため、清掃シートの清掃面をより効率的に活用することが可能となる。
【００１７】
本発明に係る清掃シートのさらなる形態によれば、起毛部と基部との間に形成される空間によりポケット要素を構成することができる。なお、ポケット要素は、一対の接続部と、一対の第２方向非起毛部列領域とにより囲まれた領域により構成するということが可能である。
【００１８】
本発明に係る清掃シートのさらなる形態によれば、ポケット要素は、複数のポケット部により構成することができる。
本発明に係る形態の清掃シートによれば、複数のポケット部に対し塵芥を捕捉させることができるため、清掃効率を向上させることが可能となる。
【００１９】
本発明に係る清掃シートのさらなる形態によれば、端部領域におけるポケット部は、中央領域におけるポケット部と比して第１方向の長さが長く形成された長距離ポケット部を構成することができる。
本発明に係る形態の清掃シートによれば、多数繊維起毛部により集められた塵芥を効率的に長距離ポケット部に収容することが可能となる。
【００２０】
本発明に係る清掃シートのさらなる形態によれば、中央領域におけるポケット部は、端部領域におけるポケット部と比して第１方向の長さが短く形成された短距離ポケット部を構成することができる。
本発明に係る形態の清掃シートによれば、少数繊維起毛部により集められた塵芥を効率的に短距離ポケット部に収容することが可能となる。
【００２１】
本発明に係る清掃シートのさらなる形態によれば、繊維要素は、トウ繊維により構成することができる。この場合、トウ繊維を構成する繊維が、繊維体を構成する。
本発明に係る形態の清掃シートによれば、トウ繊維を使用することにより清掃シートの製造容易化を図ることが可能となる。
【００２２】
本発明に係る清掃シートのさらなる形態によれば、接続要素は、基部と繊維要素とを熱溶着することにより構成することができる。
本発明に係る形態の清掃シートによれば、複数の接続部を確実かつ迅速に構成することができるため、清掃シートの製造効率化を図ることが可能となる。
【００２３】
本発明に係る清掃シートのさらなる形態によれば、繊維要素を基部の両面に配置することができる。
本発明に係る形態の清掃シートによれば、一方の面により清掃作業を終了した場合、使用者は他方の面により清掃作業を行うことができる。よって、使用者にとってコスト効果の優れた清掃シートを構築することが可能となる。
【００２４】
また、上記した課題を解決するため、上記した清掃シートと、保持具とにより清掃用具を構成することが可能である。この場合、保持具は、清掃シートが当接されるヘッド部とヘッド部に設けられるとともに清掃シートを保持する保持部と、使用者に把持される把持部と、を有することができる。
【発明の効果】
【００２５】
本発明によれば、清掃シートおよび清掃用具に関する一層合理的な構築技術を提供することが可能となる。
【図面の簡単な説明】
【００２６】
【図１】本発明の実施形態に係る清掃用具の全体構成を示す斜視図である。
【図２】清掃体の概要を示す平面図である。
【図３】清掃シートの構成を示す分解図である。
【図４】図２の領域Ｉの構成を示す説明図である。
【図５】ポケット要素の構成を示す説明図である。
【図６】交差方向起毛部列領域の構成を示す説明図である。
【図７】長手方向起毛部列領域の構成を示す説明図である。
【図８】図２のＩＩ−ＩＩ線における断面図である。
【図９】図２のＩＩＩ−ＩＩＩ線における断面図である。
【図１０】端部領域および中央領域の構成を示す説明図である。
【図１１】起毛部の構成を示す説明図である。
【図１２】長手方向繊維連続領域の構成を示す説明図である。
【図１３】清掃具の動作を示す説明図である。
【図１４】清掃具の動作を示す説明図である。
【図１５】清掃具の動作を示す説明図である。
【発明を実施するための形態】
【００２７】
（清掃用具の概略）
本発明の実施形態に係る清掃シートおよび清掃用具ついて、図１〜図１５に基づき説明する。まず、本発明における「清掃用具」の一実施の形態である清掃用具Ａの構成につき説明する。この清掃用具Ａを用いて清掃される清掃対象としては、一戸建て、マンション、ビル、工場、車両などの室内、室外、屋外における被清掃面（床面、壁面、窓、天井面、外壁面、家具面、衣類、カーテン、寝具、照明、家電品など）が挙げられる。これら各種の被清掃面は、平面として構成されてもよいし、或いは曲面、凹凸面、段差面として構成されてもよい。
なお、本発明における清掃用具Ａは、保持具２００と、保持具２００に取り付けられて使用される清掃体１００とを有する。この内、特に保持具にあっては、被清掃面によりその構成が異なる。本発明に係る実施形態においては、特に床面の清掃に適した保持具２００につき説明を行う。清掃体１００は、使い捨ての清掃体であってもよく、洗濯等により繰り返し使用される清掃体であっても良い。以下においては、使い捨ての清掃体として説明する。
この清掃用具Ａが本発明に係る「清掃用具」の一例であり、保持具２００が本発明に係る「保持具」の一例であり、清掃体１００が本発明に係る「清掃シート」の一例である。
【００２８】
（保持具の構成）
図１に示す通り、清掃用具Ａは、保持具２００と清掃体１００で構成されている。保持具２００は、清掃体１００を着脱可能に保持するように構成されている。本発明の実施形態に係る保持具２００は、床面を清掃するために提案された様々な保持具を適宜使用することができる。
図１に示す通り、保持具２００は、使用者に把持される把持部２１０と、把持部２１０から延在するパイプ部２５０と、ヘッド部２２０と、パイプ部２５０とヘッド部２２０とを連結する連結部２６０を有する。パイプ部２５０は、複数のパイプ部材を連結することにより長尺状に形成される。連結部２６０は、パイプ部２５０（把持部２１０）に対して、ヘッド部２２０が回動自在となるように形成されている。
この把持部２１０が本発明に係る「把持部」の一例であり、ヘッド部２２０が本発明に係る「ヘッド部」の一例である。
【００２９】
図１に示す通り、ヘッド部２２０は、使用者が床面を清掃する際に、使用者側に向けられる第１ヘッド面２２０Ｚ１を有する。ヘッド部２２０は、第１ヘッド面２２０Ｚ１と対向する面である第２ヘッド面２２０Ｚ２を有する。第２ヘッド面２２０Ｚ２は、使用者が床面を清掃する際に、床側に向けられる面である。
図１に示す通り、第１ヘッド面２２０Ｚ１は、清掃体１００を保持するための保持部２３０を有する。上述の通り、保持部２３０の構成は、この種の保持部における種々の構成を適宜選択することができる。例えば、保持部２３０は、弾性を有する合成樹脂による板状部材と、当該板状部材に設けたスリットとにより形成することができる。この場合、使用者は、スリットに清掃体１００を押し込むことにより、清掃体１００と保持具２００とを固定することができる。保持部２３０は、着脱自在に清掃体１００を保持する。
この保持部２３０が本発明に係る「保持部」の一例である。
【００３０】
図１に示す通り、第２ヘッド面２２０Ｚ２は、保持部２３０に取り付けられた清掃体１００が当接される当接部２４０を形成する。当接部２４０の構成は、この種の当接部における種々の構成を適宜選択することができる。例えば、当接部２４０は、弾性を有する合成樹脂性の発泡体により形成することができる。また、当接部２４０の表面として、凹凸を形成することができる。
この当接部２４０が、本発明に係る「当接部」の一例である。
【００３１】
（清掃体の構成）
清掃体１００の構成を、図２〜図１２に基づき説明する。図２は、清掃体１００の概要を示す平面図である。
図２に示す通り、清掃体１００は、シート状であり、長手方向Ｙと、長手方向Ｙと交差する方向である交差方向Ｘと、長手方向Ｙと交差方向Ｘの双方に交差する方向である厚み方向Ｚとに延在する。清掃体１００は、使用者が清掃体１００を交差方向Ｘに往復移動をすることを想定して設計されている。清掃体１００は、交差方向Ｘ上の端部１００Ｘと、長手方向Ｙ上の端部１００Ｙとを有する。
この交差方向Ｘが本発明に係る「第１方向」の一例であり、長手方向Ｙが本発明に係る「第２方向」の一例であり、端部１００Ｘが本発明に係る「第１方向上の端部」の一例である。
清掃体１００は、第１面１００Ｚ１と、当該第１面１００Ｚ１と対向する面である第２面１００Ｚ２とを有する。
【００３２】
図３は、清掃体１００の構成を示す分解図である。図３に示す通り、清掃体１００は、基部１１０と、繊維要素１２０と、側方シート部１８０とを有する。この基部１１０が本発明に係る「基部」の一例であり、繊維要素１２０が本発明に係る「繊維要素」の一例である。繊維要素１２０と側方シート部１８０は、第１面１００Ｚ１側と、第２面１００Ｚ２側とにそれぞれ設けられる。側方シート部１８０は、繊維要素１２０と基部１１０における交差方向Ｘ上の端部１００Ｘを含む領域において、繊維要素１２０と基部１１０に接合される。すなわち、基部１１０と繊維要素１２０の交差方向Ｘ上の端部１００Ｘは、第１面１００Ｚ１側の側方シート部１８０と、第２面１００Ｚ２側の側方シート部１８０とによりそれぞれ挟まれる。基部１１０と側方シート部１８０は所定の領域を熱融着することにより接合される。
【００３３】
図１に示すように、清掃体１００を、保持具２００のヘッド部２２０に取り付けた場合には、側方シート部１８０を有する領域が第１ヘッド面２２０Ｚ１側に折り返される。この清掃体１００における「折り返された領域」は、ヘッド部２２０の当接部２４０に当接しない領域となる。第１ヘッド面２２０Ｚ１に折り返された側方シート部１８０の一部は、保持具２００の保持部２３０に固定される。
【００３４】
なお、図２に示す通り、基部１１０と繊維要素１２０とは、交差方向Ｘに延在する接続要素１３０により接続される。接続要素１３０は、複数の接続部１３１により構成される。接続要素１３０は、基部１１０と繊維要素１２０の所定領域を熱溶着することにより形成される。この接続要素１３０が本発明に係る「接続要素」の一例であり、接続部１３１が本発明に係る「接続部」の一例である。なお、接続部１３１は、清掃体１００の長手方向Ｙに延在する中心線１００ｙｃ（図１０参照）に対し、所定の傾斜角度を有する領域を有している。
なお、本実施形態において「構成要素などが交差方向Ｘ（長手方向Ｙ）に延在する」とは、当該構成要素などが交差方向Ｘ（長手方向Ｙ）と平行である場合や、当該構成要素などの延在方向が交差方向Ｘ成分を有する場合を示すものである。特に、図２に示す通り、本実施形態においては、接続要素１３０（起毛部１３１）、切断要素１４０（切断部１４１）、起毛要素１５０（起毛部１５１）およびポケット要素１６０（ポケット部１６１）は、交差方向Ｘと長手方向Ｙの双方に対し、所定の角度を有して延在して配置されている。このような場合であっても、これらの構成要素は交差方向Ｘ（長手方向Ｙ）に延在するということができる。なお、接続要素１３０（起毛部１３１）、切断要素１４０（切断部１４１）、起毛要素１５０（起毛部１５１）およびポケット要素１６０（ポケット部１６１）は、交差方向Ｘと長手方向Ｙの双方に対し、所定の角度を有して延在しているため、これらの構成要素は、交差方向Ｘにおける長さと、長手方向Ｙにおける長さの双方を有することができる。
【００３５】
繊維要素１２０は、長手方向Ｙに繊維配向性を有する繊維体１２１の集合体により形成される。この繊維体１２１が本発明に係る「繊維体」の一例である。この繊維体１２１は熱可塑性繊維であり、本発明においては、芯部がポリエステル（ＰＥＴ）、鞘部がポリエチレン（ＰＥ）による芯鞘複合繊維が使用される。繊維要素１２０は、典型的にはトウ繊維を開繊することにより得られる。
なお、基部１１０および繊維要素１２０には、着塵油剤（図示せず）が付与される。着塵油剤としては、種々のものを採用することができる。本発明の実施形態に係る清掃体１００において、着塵油剤は流動パラフィンが使用される。
【００３６】
図２に示す通り、一対の接続部１３１間には交差方向Ｘに延在する切断要素１４０が形成される。切断要素１４０により切断された繊維要素１２０は起毛要素１５０とポケット要素１６０を形成する。この切断要素１４０が本発明に係る「切断要素」の一例であり、起毛要素１５０が本発明に係る「起毛要素」の一例であり、ポケット要素１６０が本発明に係る「ポケット要素」の一例である。
切断要素１４０は、複数の切断部１４１が所定の間隔を空けて交差方向Ｘに延在するように連続して配置されることにより構成される。この切断部１４１が本発明に係る「切断部」の一例である。
【００３７】
図４は、図２に示す領域Ｉの拡大図であり、切断部１４１、起毛部１５１およびポケット部１６１を示す説明図である。
図４に示す通り、切断部１４１により、起毛部１５１およびポケット部１６１が形成される。この起毛部１５１が本発明に係る「起毛部」の一例であり、ポケット部１６１が本発明に係る「ポケット部」の一例である。起毛要素１５０は複数の起毛部１５１により構成され、ポケット要素１６０は複数のポケット部１６１により構成される。
なお、切断要素１４０が形成されている繊維要素１２０の領域は、切断要素形成領域を形成する。切断要素形成領域によって起毛要素形成領域およびポケット要素形成領域が構成される。
また、切断要素１４０が形成されていない繊維要素１２０の領域は、非切断繊維要素１７０を構成する。非切断繊維要素１７０は、切断要素非形成領域１４６ということや、起毛要素非形成領域１５６ということや、ポケット要素非形成領域１６６ということができる。なお、非切断繊維要素１７０は、複数の非切断繊維部１７１により構成される。非切断繊維部１７１は、一対の接続部１３１間にわたって繊維体１２１が延在する領域であるということもできる。この起毛要素非形成領域１５６が本発明に係る「起毛要素非形成領域」の一例である。
【００３８】
図５に示す通り、起毛部１５１は、切断部１４１により切断された繊維体１２１により形成される。起毛部１５１は、接続部１３１に接続される接続端部１５１ａと、開放端部１５１ｂとを有するとともに、開放端部１５１ｂが基部１１０から離間することにより構成される。この接続端部１５１ａが本発明に係る「接続端部」の一例であり、開放端部１５１ｂが本発明に係る「開放端部」の一例である。
また、図５に示す通り、起毛部１５１と基部１１０との間に形成される空間によりポケット部１６１が形成される。なお、起毛部１５１は複数の繊維体１２１の開放端部１５１ｂがそれぞれ基部１１０から離間することにより構成される。この場合、起毛部１５１は、少なくとも一部の繊維体１２１における開放端部１５１ｂが基部１１０から離間すれば構成される。すなわち、起毛部１５１を形成するにあっては、全ての繊維体１２１の開放端部１５１ｂが基部１１０から離間することを必要としない。この意味において、ポケット部１６１は、起毛部１５１と基部１１０との間に形成される空間により形成されるが、当該「空間」に起毛部１５１を構成し得る繊維体１２１が存在していても、当該ポケット部１６１を構成し得る「空間」であると規定することが可能である。この意味において、ポケット部１６１は、一対の接続部１３１と、一対の非切断繊維部１７１とにより囲まれた領域により形成されるということが可能である。
【００３９】
図６に示す通り、交差方向Ｘに延在して隣接する切断部１４１が連続することにより、交差方向切断部列領域１４１ｘが構成される。交差方向切断部列領域１４１ｘが構成されることに伴い、交差方向起毛部列領域１５１ｘと交差方向ポケット部列領域１６１ｘが構成される。なお、交差方向切断部列領域１４１ｘは、一対の接続部１３１の間における中心線を通過するよう構成される。一対の接続部１３１間には二つの起毛部１５１が形成されるが、当該二つの起毛部１５１における、長手方向Ｙの繊維体１２１は実質的に同一の長さを有する。また、交差方向Ｘに延在して隣接する非切断繊維部１７１が連続することにより、交差方向非切断繊維部列領域１７１ｘが構成される。
【００４０】
図７に示す通り、長手方向Ｙに延在して隣接する切断部１４１が連続することにより、長手方向切断部列領域１４１ｙが構成される。長手方向切断部列領域１４１ｙが構成されることに伴い、長手方向起毛部列領域１５１ｙと長手方向ポケット部列領域１６１ｙが構成される。なお、交差方向Ｘにおける一対の長手方向切断部列領域１４１ｙ（長手方向起毛部列領域１５１ｙ、長手方向ポケット部列領域１６１ｙ）の間には、長手方向非切断繊維部列領域１７１ｙが形成される。この長手方向起毛部列領域１５１ｙが本発明に係る「第２方向起毛部列領域」の一例であり、長手方向非切断繊維部列領域１７１ｙが本発明に係る「第２方向非起毛部列領域」の一例である。
【００４１】
図８は、図２におけるＩＩ−ＩＩ線断面図であり、長手方向切断部列領域１４１ｙの構成を示す説明図である。なお、図８においては説明の便宜上、第２面１００Ｚ２の構成を省略している。図８に示す通り、長手方向切断部列領域１４１ｙには長手方向Ｙに連続して複数の切断部１４１が配置される。また、当該長手方向切断部列領域１４１ｙを長手方向起毛部列領域１５１ｙとした考察した場合、当該長手方向起毛部列領域１５１ｙには長手方向Ｙに連続して複数の起毛部１５１が配置されるということができる。また、当該長手方向切断部列領域１４１ｙを長手方向ポケット部列領域１６１ｙとした考察した場合、当該長手方向ポケット部列領域１６１ｙには長手方向Ｙに連続して複数のポケット部１６１が配置されるということができる。
図９は、図２におけるＩＩＩ−ＩＩＩ線断面図であり、長手方向非切断繊維部列領域１７１ｙの構成を示す説明図である。なお、図９においては説明の便宜上、第２面１００Ｚ２の構成を省略している。図９に示す通り、長手方向非切断繊維部列領域１７１ｙには、長手方向Ｙに連続して複数の非切断繊維部１７１が配置される。
【００４２】
図１０に示す通り、清掃体１００は、交差方向Ｘ上の端部１００Ｘを含むとともに長手方向Ｙに延在する端部領域１０１ｅを有する。端部領域１０１ｅは、端部１００Ｘと、当該端部１００Ｘに最も近接した切断部１４１とを含む範囲により規定される。この意味において、端部領域１０１ｅは、端部１００Ｘと、当該端部１００Ｘに最も近接した起毛部１５１とを含む範囲により規定されるということができる。また、端部領域１０１ｅは、端部１００Ｘと、当該端部１００Ｘに最も近接したポケット部１６１とを含む範囲により規定されるということができる。この端部領域１０１ｅが本発明に係る「端部領域」の一例である。
【００４３】
また、図１０に示す通り、清掃体１００は長手方向Ｙに延在する中心線１００ｙｃを有する。さらに、清掃体１００は、中心線１００ｙｃを含むとともに長手方向Ｙに延在する中央領域１０１ｃを有する。中央領域１０１ｃは、中心線１００ｙｃと、当該中心線１００ｙｃに最も近接した切断部１４１とを含む範囲により規定される。この意味において、中央領域１０１ｃは、中心線１００ｙｃと、当該中心線１００ｙｃに最も近接した起毛部１５１とを含む範囲により規定されるということができる。また、中央領域１０１ｃは、中心線１００ｙｃと、当該中心線１００ｙｃに最も近接したポケット部１６１とを含む範囲により規定されるということができる。この中央領域１０１ｃが本発明に係る「中央領域」の一例である。
なお、端部領域１０１ｅと中央領域１０１ｃとの間には、長手方向Ｙに延在する中間領域１０１ｍが形成される。
【００４４】
図１１に示す通り、端部領域１０１ｅの切断部１４１における交差方向Ｘの長さＤ１は、中央領域１０１ｃの切断部１４１における交差方向Ｘの長さＤ３よりも長く形成されている。なお、中間領域１０１ｍの切断部１４１における交差方向Ｘの長さＤ２は、長さＤ１よりも短く、長さＤ３よりも長く形成されている。
当該構成により、端部領域１０１ｅの切断部１４１は、長距離切断部１４２を形成する。長距離切断部１４２により、端部領域１０１ｅの起毛部１５１は、中央領域１０１ｃの起毛部１５１と比して繊維体１２１の数が多く形成されることとなる。当該構成により、端部領域１０１ｅの起毛部１５１は、多数繊維起毛部１５２を形成する。また、長距離切断部１４２により、端部領域１０１ｅのポケット部１６１は、中央領域１０１ｃのポケット部１６１と比して交差方向Ｘの長さが長く形成されることとなる。当該構成により、端部領域１０１ｅのポケット部１６１は、長距離ポケット部１６２を形成する。
この長距離切断部１４２が本発明に係る「長距離切断部」の一例であり、多数繊維起毛部１５２が本発明に係る「多数繊維起毛部」の一例であり、長距離ポケット部１６２が本発明に係る「長距離ポケット部」の一例である。
【００４５】
端部領域１０１ｅの切断部１４１が長距離切断部１４２を形成し、起毛部１５１が多数繊維起毛部１５２を形成し、ポケット部１６１が長距離ポケット部１６２を形成することに伴い、中央領域１０１ｃの切断部１４１は短距離切断部１４４を形成し、起毛部１５１は少数繊維起毛部１５４を形成し、ポケット部１６１は短距離ポケット部１６４を形成する。さらに、中間領域１０１ｍの切断部１４１は中距離切断部１４３を形成し、起毛部１５１は中間数繊維起毛部１５３を形成し、ポケット部１６１は中距離ポケット部１６３を形成する。この短距離切断部１４４が本発明に係る「短距離切断部」の一例であり、少数繊維起毛部１５４が本発明に係る「少数繊維起毛部」の一例であり、短距離ポケット部１６４が本発明に係る「短距離ポケット部」の一例である。
【００４６】
当該構成によって、交差方向切断部列領域１４１ｘ（図６参照）においては、端部領域１０１ｅから中央領域１０１ｃに向かって、切断部１４１における交差方向Ｘの距離が段階的に短くなるよう構成されているということができる。また、交差方向起毛部列領域１５１ｘにおいては、端部領域１０１ｅから中央領域１０１ｃに向かって、起毛部１５１における繊維体１２１の数が段階的に少なくなるよう構成されているということができる。また、交差方向ポケット部列領域１６１ｘにおいては、端部領域１０１ｅから中央領域１０１ｃに向かって、ポケット部１６１における交差方向Ｘの距離が段階的に短くなるよう構成されているということができる。
【００４７】
図１２に示す通り、非切断繊維部１７１における交差方向Ｘの長さＤ４は、端部領域１０１ｅ、中間領域１０１ｍおよび中央領域１０１ｃのいずれにおいても同一とされている。従って、非切断繊維部１７１が占める単位面積当たりの割合は、端部領域１０１ｅの方が中央領域１０１ｃよりも少なくなる。
【００４８】
次に、図１３〜図１５に基づき本発明に係る清掃用具Ａの動作を説明する。図１３は、交差方向Ｘに延在する起毛部１５１、ポケット部１６１および非切断繊維部１７１の動作を示す説明図である。なお、図１３においては便宜上、接続部１３１が省略される。また、図１４は多数繊維起毛部１５２、中間数繊維起毛部１５３および少数繊維起毛部１５４の長手方向Ｙにおけるそれぞれの長さを示す説明図である。
【００４９】
図１３に示す通り、使用者は、ヘッド部２２０に清掃体１００を装着した状態で、把持部２１０を把持し、清掃体１００を交差方向Ｘに移動させる。
図１４に示す通り、長手方向Ｙにおいて、多数繊維起毛部１５２の長さ１５２ｙは、中間数繊維起毛部１５３の長さ１５３ｙおよび少数繊維起毛部１５４の長さ１５４ｙよりも長くなるよう構成されている。この意味において、起毛部１５１は、端部領域１０１ｅの起毛部１５１における長手方向Ｙの長さ１５２ｙが、中央領域１０１ｃの起毛部１５１における長手方向Ｙの長さ１５４ｙよりも長く形成された長手方向長距離起毛部を構成するということができ、さらに、中央領域１０１ｃの起毛部１５１は、長手方向短距離起毛部を構成するということができる。
また、切断部１４１は、端部領域１０１ｅの切断部１４１における長手方向Ｙの長さ１４２ｙが、中央領域１０１ｃの切断部１４１における長手方向Ｙの長さ１４４ｙよりも長く形成された長手方向長距離切断部を構成するということができ、さらに、中央領域１０１ｃの切断部１４１は、長手方向短距離切断部を構成するということができる。なお、中間領域１０１ｍの切断部１４１における長手方向Ｙの長さ１４３ｙは、長さ１４２ｙよりも短く、長さ１４４ｙよりも長く構成されているということができる。
また、ポケット部１６１は、端部領域１０１ｅのポケット部１６１における長手方向Ｙの長さ１６２ｙが、中央領域１０１ｃのポケット部１６１における長手方向Ｙの長さ１６４ｙよりも長く形成された長手方向長距離ポケット部を構成するということができ、さらに、中央領域１０１ｃのポケット部１６１は、長手方向短距離ポケット部を構成するということができる。なお、中間領域１０１ｍのポケット部１６１における長手方向Ｙの長さ１６３ｙは、長さ１６２ｙよりも短く、長さ１６４ｙよりも長く構成されているということができる。
【００５０】
清掃対象が床である場合、当該床に存在する塵芥として、髪の毛や糸くずなどのような比較的長い延在長を有するものや、綿ホコリ、パン粉のような比較的大きな体積を有するものや、珪砂のような比較的小さい体積を有するものが存在する。
清掃作業においては、多数繊維起毛部１５２が最初に塵芥と接触するため、多数繊維起毛部１５２は、上述した比較的長い延在長を有する塵芥や、比較的大きな体積を有する塵芥を捕捉することができる。多数繊維起毛部１５２に捕捉されなかった塵芥は、中間数繊維起毛部１５３により捕捉され、中間数繊維起毛部１５３に捕捉されなかった塵芥は、少数繊維起毛部１５４により捕捉される。このような清掃過程を経ることによって、少数繊維起毛部１５４は比較的小さい体積を有する塵芥を捕捉することが可能となる。
【００５１】
ここで、ポケット部１６１の動作につき説明する。長距離ポケット部１６２が最初に塵芥と接触するため、長距離ポケット部１６２は、上述した比較的長い延在長を有する塵芥や、比較的大きな体積を有する塵芥を収容することができる。長距離ポケット部１６２に捕捉されなかった塵芥は、中距離ポケット部１６３に収容され、中距離ポケット部１６３に収容されなかった塵芥は、短距離ポケット部１６４に収容される。
上述した通り、本実施形態に係る清掃用具Ａによれば、異なる延在長さや体積を有する塵芥を効率的に清掃することが可能となる。
【００５２】
また、清掃体１００は、上述した通り、中央領域１０１ｃにおける単位面積あたりの長手方向非切断繊維部列領域１７１ｙの配置割合が、端部領域１０１ｅよりも多くなる。清掃作業時においては起毛部１５１の繊維体１２１が接続端部１５１ａを支点として移動する。この際、起毛部１５１の繊維体１２１が長手方向非切断繊維部列領域１７１ｙと清掃対象との間に入り込む場合がある。当該状況にあっては、中央領域１０１ｃにおける長手方向非切断繊維部列領域１７１ｙと清掃対象との間には、端部領域１０１ｅと比してより多くの繊維体１２１が入り込む。よって、使用者が清掃作業を行っている場合において、中央領域１０１ｃは厚み方向Ｚにおいて端部領域１０１ｅよりも長い距離を有する長距離厚み領域１０２ｚ３を形成することができる。一方、端部領域１０１ｅは、厚み方向Ｚにおいて中央領域１０１ｃよりも短い距離を有する短距離厚み領域１０２ｚ１を形成することができる。なお、中間領域１０１ｍは、厚み方向Ｚにおいて中距離厚み領域１０２ｚ２を形成することができる。
当該構成によって、端部領域１０１ｅから中央領域１０１ｃへの塵芥の移動を容易化することができるため、清掃体１００の清掃面をより効率的に活用することが可能となる。
【００５３】
なお本発明に係る清掃体１００および清掃用具Ａにあっては、上述した実施形態に記載した構成にのみ限定されるものではなく、さらに他の構成を使用することも可能である。
【００５４】
（実施の形態ないし実施例本発明の各構成要素の対応について）
清掃用具Ａは本発明に係る「清掃用具」の一例である。保持具２００は本発明に係る「保持具」の一例である。清掃体１００は本発明に係る「清掃シート」の一例である。把持部２１０は本発明に係る「把持部」の一例である。ヘッド部２２０は本発明に係る「ヘッド部」の一例である。保持部２３０は本発明に係る「保持部」の一例である。交差方向Ｘは本発明に係る「第１方向」の一例である。長手方向Ｙは本発明に係る「第２方向」の一例である。端部１００Ｘは本発明に係る「第１方向上の端部」の一例である。基部１１０は本発明に係る「基部」の一例である。繊維要素１２０は本発明に係る「繊維要素」の一例である。接続要素１３０は本発明に係る「接続要素」の一例である。接続部１３１は本発明に係る「接続部」の一例である。繊維体１２１は本発明に係る「繊維体」の一例である。切断部１４１は本発明に係る「切断部」の一例である。起毛部１５１は本発明に係る「起毛部」の一例である。ポケット部１６１は本発明に係る「ポケット部」の一例である。起毛要素非形成領域１５６は本発明に係る「起毛要素非形成領域」の一例である。接続端部１５１ａは本発明に係る「接続端部」の一例である。開放端部１５１ｂは本発明に係る「開放端部」の一例である。長手方向起毛部列領域１５１ｙは本発明に係る「第２方向起毛部列領域」の一例である。長手方向非切断部列領域１７１ｙは本発明に係る「第２方向非起毛部列領域」の一例である。端部領域１０１ｅは本発明に係る「端部領域」の一例である。中央領域１０１ｃは本発明に係る「中央領域」の一例である。長距離切断部１４２は本発明に係る「長距離切断部」の一例である。多数繊維起毛部１５２は本発明に係る「多数繊維起毛部」の一例である。長距離ポケット部１６２は本発明に係る「長距離ポケット部」の一例である。短距離切断部１４４は本発明に係る「短距離切断部」の一例である。少数繊維起毛部１５４は本発明に係る「少数繊維起毛部」の一例である。短距離ポケット部１６４は本発明に係る「短距離ポケット部」の一例である。
【００５５】
以上の発明の趣旨に鑑み、本発明に係る清掃シートおよび清掃用具は、下記の態様が構成可能である。
【００５６】
（態様Ａ１）
保持具に取り付けることにより使用される清掃シートであって、
所定の第１方向と、当該第１方向と交差する方向である第２方向とに亘り延在するとともに、
基部と、
繊維要素と、
前記基部と前記繊維要素とを接続する接続要素と、
前記繊維要素を切断する切断要素と、
前記切断要素により切断された繊維要素により形成される起毛要素と、
ポケット要素と、
を有し、
前記繊維要素は、前記第２方向に延在する複数の繊維体により構成され、
前記接続要素は、前記第１方向に延在するとともに前記第２方向に所定の間隔を空けて形成された複数の接続部により構成され、
前記切断要素は、前記第１方向に延在するよう所定の間隔を空けて形成された複数の切断部により構成され、
前記起毛要素は、前記切断部により切断された前記繊維体によって形成される複数の起毛部により構成され、
前記起毛部は、前記接続部に接続される接続端部と、開放端部とを有するとともに、前記開放端部が前記基部から離間することにより構成され、
前記ポケット要素は、前記起毛部と前記基部との間に形成される空間により構成される複数のポケット部により構成されるとともに、前記第１方向において隣接する前記ポケット部が連続することにより形成される第１方向ポケット部列領域を構成し、
前記清掃シートはさらに、前記第１方向上の端部を含むとともに前記第２方向に延在する端部領域と、前記第２方向に延在する中央領域とを有し、
前記第１方向ポケット部列領域において、前記端部領域の前記ポケット部は、前記中央領域の前記ポケット部と比して前記第１方向の長さが長く形成された長距離ポケット部を構成することを特徴とする清掃シート。
【００５７】
（態様Ａ２）
態様Ａ１に記載された清掃シートであって、
前記中央領域における前記ポケット部は、前記端部領域における前記ポケット部と比して前記第１方向の長さが短く形成された短距離ポケット部を構成することを特徴とする清掃シート。
【００５８】
（態様Ａ３）
態様Ａ１または２に記載された清掃シートであって、
前記端部領域における前記起毛部は、前記中央領域における前記起毛部と比して前記繊維体の数が多く形成された多数繊維起毛部を構成することを特徴とする清掃シート。
【００５９】
（態様Ａ４）
態様Ａ１〜３のいずれか１項に記載された清掃シートであって、
前記中央領域における前記起毛部は、前記端部領域における前記起毛部と比して前記繊維体の数が少なく形成された少数繊維起毛部を構成することを特徴とする清掃シート。
【００６０】
（態様Ａ５）
態様Ａ１〜４のいずれか１項に記載された清掃シートであって、
前記端部領域における前記切断部は、前記中央領域における前記切断部と比して前記第１方向の長さが長く形成された長距離切断部を構成することを特徴とする清掃シート。
【００６１】
（態様Ａ６）
態様Ａ１〜５のいずれか１項に記載された清掃シートであって、
前記中央領域における前記切断部は、前記端部領域における前記切断部と比して前記第１方向の長さが短く形成された短距離切断部を構成することを特徴とする清掃シート。
【００６２】
（態様Ａ７）
態様Ａ１〜６のいずれか１項に記載された清掃シートであって、
ポケット要素が形成されるポケット要素形成領域と、ポケット要素非形成領域とを有することを特徴とする清掃シート。
【００６３】
（態様Ａ８）
態様Ａ７に記載された清掃シートであって、
前記ポケット要素形成領域は、前記第２方向に延在する複数の前記ポケット部により形成される複数の第２方向ポケット部列領域を有し、
前記ポケット要素非形成領域は、前記第２方向に延在する複数の第２方向非ポケット部列領域を有することを特徴とする清掃シート。
【００６４】
（態様Ａ９）
態様Ａ８に記載された清掃シートであって、
複数の前記第２方向非ポケット部列領域は、前記第１方向の長さが同一であるよう構成されることを特徴とする清掃シート。
【００６５】
（態様Ａ１０）
態様Ａ１〜９のいずれか１項に記載された清掃シートであって、
前記繊維要素は、トウ繊維により構成されることを特徴とする清掃シート。
【００６６】
（態様Ａ１１）
態様Ａ１〜１０のいずれか１項に記載された清掃シートであって、
前記接続要素は、前記基部と前記繊維要素とが熱溶着することにより構成されることを特徴とする清掃シート。
【００６７】
（態様Ａ１２）
態様Ａ１〜１１のいずれか１項に記載された清掃シートであって、
前記繊維要素は、前記基部の両面に配置されることを特徴とする清掃シート。
【００６８】
（態様Ａ１３）
保持具と、前記保持具に装着される清掃シートとにより構成される清掃用具であって、
前記保持具は、
前記清掃シートが当接されるヘッド部と、
前記ヘッド部に設けられるとともに前記清掃シートを保持する保持部と、
使用者に把持される把持部と、を有し、
前記清掃シートは、
所定の第１方向と、当該第１方向と交差する方向である第２方向とに亘り延在するとともに、
基部と、
繊維要素と、
前記基部と前記繊維要素とを接続する接続要素と、
前記繊維要素を切断する切断要素と、
前記切断要素により切断された繊維要素により形成される起毛要素と、
ポケット要素と、
を有し、
前記繊維要素は、前記第２方向に延在する複数の繊維体により構成され、
前記接続要素は、前記第１方向に延在するとともに前記第２方向に所定の間隔を空けて形成された複数の接続部により構成され、
前記切断要素は、前記第１方向に延在するよう所定の間隔を空けて形成された複数の切断部により構成され、
前記起毛要素は、前記切断部により切断された前記繊維体によって形成される複数の起毛部により構成され、
前記起毛部は、前記接続部に接続される接続端部と、開放端部とを有するとともに、前記開放端部が前記基部から離間することにより構成され、
前記ポケット要素は、前記起毛部と前記基部との間に形成される空間により構成される複数のポケット部により構成されるとともに、前記第１方向において隣接する前記ポケット部が連続することにより形成される第１方向ポケット部列領域を構成し、
前記清掃シートはさらに、前記第１方向上の端部を含むとともに前記第２方向に延在する端部領域と、前記第２方向に延在する中央領域とを有し、
前記第１方向ポケット部列領域において、前記端部領域の前記ポケット部は、前記中央領域の前記ポケット部と比して前記第１方向の長さが長く形成された長距離ポケット部を構成することを特徴とする清掃用具。
【００６９】
（態様Ｂ１）
保持具に取り付けることにより使用される清掃シートであって、
所定の第１方向と、当該第１方向と交差する方向である第２方向とに亘り延在するとともに、
基部と、
繊維要素と、
前記基部と前記繊維要素とを接続する接続要素と、
前記繊維要素を切断する切断要素と、
前記切断要素により切断された繊維要素により形成される起毛要素と、を有し、
前記繊維要素は、前記第２方向に延在する複数の繊維体により構成され、
前記接続要素は、前記第１方向に延在するとともに前記第２方向に所定の間隔を空けて形成された複数の接続部により構成され、
前記切断要素は、前記第１方向に延在するよう所定の間隔を空けて形成された複数の切断部により構成されるとともに、前記第１方向において隣接する前記切断部が連続することにより形成される第１方向切断部列領域を構成し、
前記起毛要素は、前記切断部により切断された前記繊維体により形成される複数の起毛部により構成され、
前記清掃シートはさらに、前記第１方向上の端部を含むとともに前記第２方向に延在する端部領域と、前記第２方向に延在する中央領域とを有し、
前記第１方向切断部列領域において、前記端部領域における前記切断部は、前記中央領域における前記切断部と比して前記第１方向の長さが長く形成された長距離切断部を構成することを特徴とする清掃シート。
【００７０】
（態様Ｂ２）
態様Ｂ１に記載された清掃シートであって、
前記中央領域における前記切断部は、前記端部領域における前記切断部と比して前記第１方向の長さが短く形成された短距離切断部を構成することを特徴とする清掃シート。
【００７１】
（態様Ｂ３）
態様Ｂ１または２に記載された清掃シートであって、
前記端部領域における前記起毛部は、前記中央領域における前記起毛部と比して前記繊維体の数が多く形成された多数繊維起毛部を構成することを特徴とする清掃シート。
【００７２】
（態様Ｂ４）
態様Ｂ１〜３のいずれか１項に記載された清掃シートであって、
前記中央領域における前記起毛部は、前記端部領域における前記起毛部と比して前記繊維体の数が少なく形成された少数繊維起毛部を構成することを特徴とする清掃シート。
【００７３】
（態様Ｂ５）
態様Ｂ１〜４のいずれか１項に記載された清掃シートであって、
切断要素が形成される切断要素形成領域と、切断要素非形成領域とを有することを特徴とする清掃シート。
【００７４】
（態様Ｂ６）
態様Ｂ５に記載された清掃シートであって、
前記切断要素形成領域は、前記第２方向に延在する複数の前記切断部により形成される複数の第２方向切断部列領域を有し、
前記切断要素非形成領域は、前記第２方向に延在する複数の第２方向非切断部列領域を有することを特徴とする清掃シート。
【００７５】
（態様Ｂ７）
態様Ｂ６に記載された清掃シートであって、
複数の前記第２方向非切断部列領域は、前記第１方向の長さが同一であるよう構成されることを特徴とする清掃シート。
【００７６】
（態様Ｂ８）
態様Ｂ１〜７のいずれか１項に記載された清掃シートであって、
前記起毛部は、前記接続部に接続される接続端部と、開放端部とを有するとともに、
前記開放端部が前記基部から離間することにより構成されることを特徴とする清掃シート。
【００７７】
（態様Ｂ９）
態様Ｂ１〜８のいずれか１項に記載された清掃シートであって、
前記起毛部と前記基部との間に形成される空間によりポケット要素が構成されることを特徴とする清掃シート。
【００７８】
（態様Ｂ１０）
態様Ｂ９に記載された清掃シートであって、
前記ポケット要素は、複数のポケット部により構成されることを特徴とする清掃シート。
【００７９】
（態様Ｂ１１）
態様Ｂ１０に記載された清掃シートであって、
前記端部領域における前記ポケット部は、前記中央領域における前記ポケット部と比して前記第１方向の長さが長く形成された長距離ポケット部を構成することを特徴とする清掃シート。
【００８０】
（態様Ｂ１２）
態様Ｂ１〜１１のいずれか１項に記載された清掃シートであって、
前記中央領域における前記ポケット部は、前記端部領域における前記ポケット部と比して前記第１方向の長さが短く形成された短距離ポケット部を構成することを特徴とする清掃シート。
【００８１】
（態様Ｂ１３）
態様Ｂ１〜１２のいずれか１項に記載された清掃シートであって、
前記繊維要素は、トウ繊維により構成されることを特徴とする清掃シート。
【００８２】
（態様Ｂ１４）
態様Ｂ１〜１３のいずれか１項に記載された清掃シートであって、
前記接続要素は、前記基部と前記繊維要素とが熱溶着することにより構成されることを特徴とする清掃シート。
【００８３】
（態様Ｂ１５）
態様Ｂ１〜１４のいずれか１項に記載された清掃シートであって、
前記繊維要素は、前記基部の両面に配置されることを特徴とする清掃シート。
【００８４】
（態様Ｂ１６）
保持具と、前記保持具に装着される清掃シートとにより構成される清掃用具であって、
前記保持具は、
前記清掃シートが当接されるヘッド部と、
前記ヘッド部に設けられるとともに前記清掃シートを保持する保持部と、
使用者に把持される把持部と、を有し、
前記清掃シートは、
所定の第１方向と、当該第１方向と交差する方向である第２方向とに亘り延在するとともに、
基部と、
繊維要素と、
前記基部と前記繊維要素とを接続する接続要素と、
前記繊維要素を切断する切断要素と、
前記切断要素により切断された繊維要素により形成される起毛要素と、を有し、
前記繊維要素は、前記第２方向に延在する複数の繊維体により構成され、
前記接続要素は、前記第１方向に延在するとともに前記第２方向に所定の間隔を空けて形成された複数の接続部により構成され、
前記切断要素は、前記第１方向に延在するよう所定の間隔を空けて形成された複数の切断部により構成されるとともに、前記第１方向において隣接する前記切断部が連続することにより形成される第１方向切断部列領域を構成し、
前記起毛要素は、前記切断部により切断された前記繊維体により形成される複数の起毛部により構成され、
前記清掃シートはさらに、前記第１方向上の端部を含むとともに前記第２方向に延在する端部領域と、前記第２方向に延在する中央領域とを有し、
前記第１方向切断部列領域において、前記端部領域における前記切断部は、前記中央領域における前記切断部と比して前記第１方向の長さが長く形成された長距離切断部を構成することを特徴とする清掃用具。
【００８５】
（態様Ｃ１）
保持具に取り付けることにより使用される清掃シートであって、
所定の第１方向と、当該第１方向と交差する方向である第２方向とに亘り延在するとともに、
基部と、
繊維要素と、
前記基部と前記繊維要素とを接続する接続要素と、
前記繊維要素を切断する切断要素と、
前記切断要素により切断された繊維要素により形成される起毛要素と、を有し、
前記繊維要素は、前記第２方向に延在する複数の繊維体により構成され、
前記接続要素は、前記第１方向に延在するとともに前記第２方向に所定の間隔を空けて形成された複数の接続部により構成され、
前記切断要素は、前記第１方向に延在するよう所定の間隔を空けて形成された複数の切断部により構成され、
前記起毛要素は、前記切断部に切断された前記繊維体によって形成される複数の起毛部により構成されるとともに、前記第１方向において隣接する前記起毛部が連続することにより形成される第１方向起毛部列領域を構成し、
前記清掃シートはさらに、前記第１方向上の端部を含むとともに前記第２方向に延在する端部領域と、前記第２方向に延在する中央領域とを有し、
前記第１方向起毛部列領域において、前記端部領域の前記起毛部は、前記中央領域の前記起毛部と比して前記第２方向の長さが長く形成された長距離起毛部を構成することを特徴とする清掃シート。
【００８６】
（態様Ｃ２）
態様Ｃ１に記載された清掃シートであって、
前記中央領域における前記起毛部は、前記端部領域における前記起毛部と比して前記第２方向の長さが短く形成された短距離起毛部を構成することを特徴とする清掃シート。
【００８７】
（態様Ｄ１）
保持具に取り付けることにより使用される清掃シートであって、
所定の第１方向と、当該第１方向と交差する方向である第２方向と、前記第１方向および前記第２方向の双方と交差する第３方向とに亘り延在するとともに、
基部と、
繊維要素と、
前記基部と前記繊維要素とを接続する接続要素と、
前記繊維要素を切断する切断要素と、
前記切断要素により切断された繊維要素により形成される起毛要素と、を有し、
前記繊維要素は、前記第２方向に延在する複数の繊維体により構成され、
前記接続要素は、前記第１方向に延在するとともに前記第２方向に所定の間隔を空けて形成された複数の接続部により構成され、
前記切断要素は、前記第１方向に延在するよう所定の間隔を空けて形成された複数の切断部により構成され、
前記起毛要素は、前記切断部に切断された前記繊維体によって形成される複数の起毛部により構成され、
前記清掃シートはさらに、前記第１方向上の端部を含むとともに前記第２方向に延在する端部領域と、前記第２方向に延在する中央領域とを有し、
使用者によって清掃シートが使用された場合に、前記中央領域は、前記第３方向の長さが前記端部領域よりも長く形成された長距離厚み領域を構成することを特徴とする清掃シート。
【００８８】
（態様Ｄ２）
態様Ｄ１に記載された清掃シートであって、
使用者によって清掃シートが使用された場合に、前記端部領域は、前記第３方向の長さが前記中央領域よりも短く形成された短距離厚み領域を構成することを特徴とする清掃シート。
【符号の説明】
【００８９】
Ａ  清掃用具
Ｄ１  長さ
Ｄ２  長さ
Ｄ３  長さ
Ｄ４  長さ
Ｘ  交差方向（第１方向）
Ｙ  長手方向（第２方向）
Ｚ  厚み方向
１００  清掃体（清掃シート）
１００Ｘ  端部（第１方向上の端部）
１００Ｙ  端部（第２方向上の端部）
１００ｙｃ  中心線
１００Ｚ１  第１面
１００Ｚ２  第２面
１０１ｅ  端部領域
１０１ｃ  中央領域
１０１ｍ  中間領域
１０２ｚ１  短距離厚み領域
１０２ｚ２  中距離厚み領域
１０２ｚ３  長距離厚み領域
１１０  基部
１２０  繊維要素
１２１  繊維体
１３０  接続要素
１３１  接続部
１４０  切断要素
１４１  切断部
１４１ｘ  交差方向切断部列領域
１４１ｙ  長手方向切断部列領域
１４２  長距離切断部
１４２ｙ  長さ
１４３  中距離切断部
１４３ｙ  長さ
１４４  短距離切断部
１４４ｙ  長さ
１４６  切断要素非形成領域
１５０  起毛要素
１５１  起毛部
１５１ａ  接続端部
１５１ｂ  開放端部
１５１ｘ  交差方向起毛部列領域（第１方向起毛部列領域）
１５１ｙ  長手方向起毛部列領域
１５２  多数繊維起毛部
１５２ｙ  長さ
１５３  中間数繊維起毛部
１５３ｙ  長さ
１５４  少数繊維起毛部
１５４ｙ  長さ
１５６  起毛要素非形成領域
１６０  ポケット要素
１６１  ポケット部
１６１ｘ  交差方向ポケット部列領域
１６１ｙ  長手方向ポケット部列領域
１６２  長距離ポケット部
１６２ｙ  長さ
１６３  中距離ポケット部
１６３ｙ  長さ
１６４  短距離ポケット部
１６４ｙ  長さ
１６６  ポケット要素非形成領域
１７０  非切断繊維要素
１７１  非切断繊維部
１７１ｘ  交差方向非切断繊維部列領域
１７１ｙ  長手方向非切断繊維部列領域
１８０  側方シート部
２００  保持具
２１０  把持部
２２０  ヘッド部
２２０Ｚ１  第１ヘッド面
２２０Ｚ２  第２ヘッド面
２３０  保持部
２４０  当接部
２５０  パイプ部
２６０  連結部
【要約】
【課題】  清掃シートおよび清掃用具に関する一層合理的な構築技術を提供する
【解決手段】
【請求項１】
保持具２００に取り付けることにより使用される清掃シート１００であって、起毛要素１５０は、切断部１４１により切断された繊維体１２１により形成される複数の起毛部１５１により構成され、第１方向起毛部列領域１５１ｘにおいて、端部領域１０１ｅの起毛部１５１は、中央領域１０１ｃの起毛部１５１と比して繊維体１２１の数が多く形成された多数繊維起毛部１５２を構成する。
【選択図】  図１１【図１】
0005763283.tif 000002
【図２】
0005763283.tif 000003
【図３】
0005763283.tif 000004
【図４】
0005763283.tif 000005
【図５】
0005763283.tif 000006
【図６】
0005763283.tif 000007
【図７】
0005763283.tif 000008
【図８】
0005763283.tif 000009
【図９】
0005763283.tif 000010
【図１０】
0005763283.tif 000011
【図１１】
0005763283.tif 000012
【図１２】
0005763283.tif 000013
【図１３】
0005763283.tif 000014
【図１４】
0005763283.tif 000015
【図１５】
0005763283.tif 000016